(57)【特許請求の範囲】
【請求項１】
一定の大きさの四角い材質（木質、紙質、ゴム質、プラスチック質、金属質等）の台の上に、厚さの薄い材質（木質、紙質、ゴム質、プラスチック質、金属質等）を、剥がす事が出来る、又は、剥がしてはまた貼りつけることが出来る接着剤（以下、接着剤と言う。）で積層した部分と、その一辺または二辺側に接着剤を付けないで積層した部分を設け、その接着剤をつけないで積層した積層部分に角度をつけた構成を備えたくさび状の形状を持つ積層板のスペ−サ−。
【請求項２】
請求項１に記載のスペ−サ−を下地に取付けるために、台の下側に、台側に接着剤が残る状態になるように、積層部を構成する物と同材の物を一枚貼り、  更に、それを下地に固定するために、その積層板に釘またはビス穴を数ヶ所開けた構成を備えた請求項１に記載のスペ−サ−。
【請求項３】
請求項１に記載のスペ−サ−の台の上部の積層部を構成する厚さの薄い材質一枚一枚に、台の下側からの厚さの数値をそれぞれ印刷した構成を備えた請求項１または２に記載のスペ−サ−。
【発明の詳細な説明】
【技術分野】
【０００１】  本発明は、建築等において、スペ−サ−を取付ける時の一連の作業の簡便性、効率性、正確性等の向上を図るためのスペ−サ−に関する。
【背景技術】
【０００２】  従来、下地が水平（垂直）でない所に、物を水平（垂直）に設置する時、設置物と下地の間に隙間を設けて設置物を水平（垂直）に置き、その隙間の数ヶ所にその隙間厚に合わせたスペ−サ−を取付け、そのそれぞれのスペ−サ−に設置物を固定して物を水平（垂直）に設置してきた。【０００３】  そして、そのスペ−サ−を取付けるには、スペ−サ−を取付ける個所個所の隙間の厚さを計り、その個所の隙間厚に合わせたそれぞれの厚さのスペ−サ−を直接つくり、それらのスペ−サ−をそれぞれの個所の隙間に取付けて、水平（垂直）の下地とし、設置物をそのそれぞれのスペ−サ−に固定して、物を水平（垂直）に設置してきた。【０００４】  又、事前に、一定の大きさの厚さが異なる何種類もの板を用意しておき、スペ−サ−を取付ける個所個所の隙間の厚さを計り、そのそれぞれの隙間厚に合うように、それらの板をそれぞれ組合せて、その個所の隙間厚に合うスペ−サ−として、そのスペ−サ−をそれぞれの個所の隙間に取付けて、水平（垂直）の下地とし、設置物をそのそれぞれのスペ−サ−に固定して、物を水平（垂直）に設置してきた。
【発明の開示】
【発明が解決しようとする課題】
【０００５】  以上述べた従来のスペ−サ−の作成方法は、スペ−サ−を取付ける個所個所の隙間の厚さを計り、その個所の隙間厚に合わせたそれぞれの厚さのスペ−サ−を直接つくり、それらのスペ−サ−をそれぞれの個所の隙間に取付けていた。【０００６】  又、事前に、一定の大きさの厚さが異なる何種類もの板を用意しておき、スペ−サ−を取付ける個所個所の隙間の厚さを計り、そのそれぞれの隙間厚に合うように、それらの板をぞれ組合せて、その個所の隙間厚に合うスペ−サ−として、そのスペ−サ−をそれぞれの個所の隙間に取付けていた。【０００７】  この厚さが異なる何種類かの板の組合せで作るスペ−サ−には、精度に難点があった。【０００８】  本発明は、上記で述べた従来のスペ−サ−を取付ける時の一連の作業が有している非簡便性、非効率性、非正確性等の問題点を解決する事を目的とするスペ−サ−である。
【課題を解決するための手段】
【０００９】  本発明は、上記の目的を達成するために、一定の大きさの四角い材質（木質、紙質、ゴム質、プラスチック質、金属質等）の台の上に、厚さの薄い材質（木質、紙質、ゴム質、プラスチック質、金属質等）を、剥がす事が出来る、または剥がしてはまた貼りつけることが出来る接着剤（以下、接着剤剤と言う。）で積層した部分と、その一辺または二辺側に接着剤を付けないで積層した部分を設け、その接着剤を付けないで積層した積層部分に角度を付けた構成を備えたくさび状の形状を持つ積層板のスペ−サ−である。【００１０】  又、請求項１に記載のスペ−サ−を下地に取付けるために、台の下側に、台側に接着剤が残る状態になるように、積層部を構成する物と同材の物を一枚貼り、  更に、それを下地に固定するために、その積層板に釘またはビス穴を数ヶ所開けた構成を備えた請求項１に記載のスペ−サ−である。【００１１】  更に、請求項１に記載のスペ−サ−の台の上部の積層部を構成する厚さの薄い材質一枚一枚に、台の下側からの厚さの数値をそれぞれ印刷した構成を備えた請求項１または２に記載のスペ−サ−である。
【発明の効果】
【００１２】  本発明の厚さの薄い材質で積層されたくさび状の形状を持つ積層板のスペ−サ−を使用することにより、従来計っていた設置物と下地との間に設けた隙間のスペ−サ−を取付ける個所個所の隙間厚を計る必要はない。【００１３】  又、事前に、一定の大きさの厚さが異なる何種類もの板を用意しておき、スペ−サ−を取付ける個所個所の隙間の厚さを計り、そのそれぞれの隙間厚に合うように、それらの板をそれぞれ組合せて、その個所の隙間厚に合うスペ−サ−とする必要はない。【００１４】  更に、台の下側に、台側に接着剤が残る状態になるように、積層部を構成する物と同じ物を一枚貼っておくことにより、その一枚を剥がすことで、その積層板のスペ−サ−をその個所の下地に、即、仮止めすることが出来る。【００１５】    又、積層板のスペ−サ−を下地に取付けるために、その積層板に釘またはビス穴を数ヶ所開けておくことにより、仮止めした積層板のスペ−サ−を、直ちに釘またはビスにて下地に固定することが出来る。【００１６】  台の上部の積層部を構成する厚さの薄い材質一枚一枚に、台の下側からの厚さの数値をそれぞれ印刷しておくことにより、作成した積層板のスペ−サ−の厚さを知ることが出来ると同時に、その個所の隙間厚をも知ることが出来る。【００１７】  上述したように、本発明の厚さの薄い材質で積層されたくさび状の形状を持つ積層板のスペ−サ−は、スペ−サ−を取付ける時の一連の作業の簡便性、効率性等の向上が得られ、その個所の隙間厚と同じ厚さの正確なスペ−サ−を取付けることが出来る。
【発明を実施するための最良の形態】
【００１８】  以下、本発明を実施するための形態を図１〜図４に基づいて説明する。【００１９】  一定の大きさの四角い材質（木質、紙質、ゴム質、プラスチック質、金属質等）の台４の上に、厚さの薄い材質（木質、紙質、ゴム質、プラスチック質、金属質等）１を、接着剤で積層した部分２と、その一辺または二辺側に接着剤をつけないで積層した部分３を設け、その接着剤を付けないで積層した部分３には角度９をつけた構成を備えたくさび状の形状を持つ積層板のスペ−サ−である。【００２０】  この積層板の接着剤を付けていない角度９のついた積層部分３を、設置物と下地の間のスペ−サ−を取付ける個所の隙間に差込み、押し当てる事により、接着剤を付けていない角度９のついた積層部分３に、その個所の隙間厚をうつし取る。【００２１】  そして、その個所の隙間に入らなかった接着剤を付けていない角度９のついた積層部分３を、一枚残して、その他の全てをはがし、さらに、台４の下側に貼ってある厚さの薄い材質一枚５をもはがす事により、その個所の隙間に入った積層部分が、その個所の隙間厚と同じ厚さのスペ−サ−となる。【００２２】  上記で述べたように、この積層板のスペ−サ−を使用する事により、その個所の隙間厚と同じ厚さのスペ−サ−を簡単に作ることが出来る。【００２３】  又、台４の下側に貼ってある厚さの薄い材質一枚５をはがした事により、台４の下側に付いている接着剤で下地に、即、仮止めすることが出来る。【００２４】  更に、その積層板に開けた釘またはビス穴６を利用して釘またはビスを打つ事で、その積層板のスペ−サ−を下地に、直ちに固定する事が出来る。【００２５】  台４の上部の積層部を構成する厚さの薄い材質１一枚一枚にそれぞれ印刷されている台４の下側からの厚さ８の数値７により、作成した積層板のスペ−サ−の厚さと、その個所の隙間厚を、同時に、即座に知る事が出来る。
【図面の簡単な説明】
【００２６】
【図１】  角度に平行に接着剤を付けない積層部分を設けた場合を示す積層板の斜視図。
【図２】  二辺側の角度に平行に接着剤を付けない積層部分を設けた場合を示す積層板の斜視図。
【図３】  台に垂直に接着剤を付けない積層部分を設けた場合を示す積層板の斜視図。
【図４】  角度の付いた二辺側に台に垂直に接着剤を付けない積層部分を設けた場合を示す積層板の斜視図。
【符号の説明】
【００２７】１：厚さの薄い材質（木質、紙質、ゴム質、プラスチック質、金属質等）。２：１を接着剤で積層した部分。３：１を接着剤を付けないで積層した部分。４：一定の大きさの四角い台（木質、紙質、ゴム質、プラスチック質、金属質等）。５：台側に接着剤が残るように貼られた厚さの薄い材質１一枚。６：釘またはビス穴。７：台の下側からの厚さの数値。８：台の下側からの厚さ。９：角度。
【要約】
【課題】  従来のスペ−サ−を取付ける時の一連の作業は、隙間厚を計ってそれを作成したり、事前に厚さが異なる何種類もの板を用意し、それらを組合せてそれを作成したりしていたので、その一連の作業には簡便性、効率性、正確性等の点において問題があった。
【解決手段】  四角い台の上に、厚さの薄い材質を、剥がす事が出来る、又は、剥がしてはまた貼りつける事が出来る接着剤（以下、接着剤と言う。）で積層した積層板からなるスペ−サ−の一辺、又は、二辺側に、接着剤を付けないで積層した角度の付いた積層部分を設け、その部分をスペ−サ−を取付ける隙間に差込み、その隙間厚をその部分に移し取る事により、その個所に必要な厚さのスペ−サ−を作る事が出来る。又、スペ−サ−の台の下側に接着剤を付けておく事により、それを下地に即仮止めでき、更に、それに釘又はビス穴を開けておく事で、直ちにそれを固定する事が出来る。
【選択図】図１【図１】
0003837638.tif 000002
【図２】
0003837638.tif 000003
【図３】
0003837638.tif 000004
【図４】
0003837638.tif 000005